(57)【要約】【課題】使用者が車椅子に座ったままで進入して容易に園芸ができ、車椅子を横方向ヘスムーズに方向転換することができるとともに、構造が簡易、且つ、軽量で製造が容易な簡易型木製レイズドベッドを提供する。【解決手段】高さの低いプラスチック製プランター１と、木製で高さの低い水平方向に配置されたプランター収容部１３とその後側に配置された支柱部１５とその下端に水平方向に配置された脚部１７とで片持ち状に保持するプランター支持体３と、を具備する。これにより、プランター１の下部に車椅子に座った人間が進入できるスペースを確保するとともにプランター１上面の高さを車椅子に座った人間が作業できる高さに設定でき、且つ、車椅子が進入した位置から横方向ヘスムーズに方向転換させることができる。【選択図】図１
0003113668.tif 000002
【実用新案登録請求の範囲】
【請求項１】
高さの低いプラスチック製プランターと、木製で高さの低い水平方向に配置されたプランター収容部とその後側に配置された支柱部とその下端に水平方向に配置された脚部とで片持ち状に保持するプランター支持体と、を具備したことを特徴とする簡易型木製レイズドベッド。
【請求項２】
上記プランター収容部の天板は、前側の中央部を凹陥させた凹部と、その両側に前側に張り出した手置き部とを形成したものであることを特徴とする請求項１記載の簡易型木製レイズドベッド。
【請求項３】
上記支柱部は、上下に２つの支柱要素に分割し、両支柱要素を重複して配置し、その間に複数箇所の位置調整固定手段を設けてプランター収容部の高さを調整可能としたものであることを特徴とする請求項１又は２記載の簡易型木製レイズドベッド。
【考案の詳細な説明】
【技術分野】
【０００１】
本考案は簡易型木製レイズドベッドに係り、特に、使用者が車椅子に座ったままで進入して園芸ができ、車椅子を横方向へスムーズに回転することができるとともに、構造が簡易で製造も容易なものに関する。
【背景技術】
【０００２】
レイズドベッドとは立ち上げ花壇であり、高齢者や身体障害者が車椅子に座りながら園芸ができる設備である。従来のレイズドベッドは、コンクリート製であり、地表から立ち上げた部分とその上部に設けた花壇部とからなるものであるが、各部の厚みが１０ｃｍ以上あるのが通常である。また、花壇部分に支脚部分をボルト等で連結して組み合わせた車椅子利用者用花壇（例えば、特許文献１参照。）や、花壇部分と支脚部分とを一体成形した車椅子利用者用花壇もある（例えば、特許文献２参照。）。
【０００３】
【特許文献１】特開２００３−２３８７０号公報
【特許文献２】特開平１１−１１３４０３号公報
【考案の開示】
【考案が解決しようとする課題】
【０００４】
従来のレイズドベッドは、コンクリート製であり、厚みが１０ｃｍ以上あるので、車椅子に座った使用者の足が入り、且つ、コンクリートの厚みや土の厚みを入れると、上面が高くなり使用者が作業しづらいという欠点があった。また、花壇部分に支脚部分を組み合わせた花壇もあるが、このものは構造か複雑で簡易で安価に提供できるものではないという問題がある。また、花壇部分と支脚部分とを一体成形した花壇もあるが、このものは、設備として大型となり製造も面倒で簡易で安価に提供できるものではないという問題がある。
【０００５】
本考案はこのような点に基づいてなされたものでその目的とするところは、使用者が車椅子に座ったままで進入して容易に園芸ができ、車椅子を横方向へスムーズに回転することができるとともに、構造が簡易で製造も容易な簡易型木製レイズドベッドを提供することにある。
【課題を解決するための手段】
【０００６】
上記目的を達成するべく本考案による簡易型木製レイズドベッドは、高さの低いプラスチック製プランターと、木製で高さの低い水平方向に配置されたプランター収容部とその後側に配置された支柱部とその下端に水平方向に配置された脚部とで片持ち状に保持するプランター支持体と、を具備したことを特徴とするものである。
【０００７】
また、プランター収容部の天板は、前側の中央部を凹陥させた凹部と、その両側に前側に張り出した手置き部とを形成したものとすることが考えられる。また、両側の支柱部は、上下に２つの支柱要素に分割し、一方に孔を形成するとともに、他方に上記孔と対応し上下方向に間隔をおいて複数の雌ねじを形成し、上記孔と任意の位置の雌ねじを合致させて止めねじで締結することによりプランター収容部の高さを調節し得るものすることが考えられる。
【考案の効果】
【０００８】
本考案の簡易型木製レイズドベッドによると、プランターの下部に車椅子に座った人間が進入できるスペースを確保するとともにプランター上面の高さを車椅子に座った人間が作業できる高さに設定できる。したがって、使用者は園芸の作業が容易にできる。また、プランター支持体はプランターを片持ち状に保持するようにしたから、車椅子が進入した位置から横方向へスムーズに回転させることができ、レイズドベッドへのアクセスが容易となる。
【０００９】
また、木製で高さの低い水平方向に配置されたプランター収容部とその後側に配置された支柱部とその下端に水平方向に配置された脚部とで片持ち状に保持するプランター支持体にプラスチック製で上記プランター収容部に収容可能な形状で高さの低いプランターを収容する構造としたので、移動が可能であり、軽量でベランダや屋上等に設置しても建物に負荷をかけないようにすることができるし、プランターをプランター支持体から取り外し可能であるから、花壇部分を取り外して別の場所で土の入れ換えや園芸作業をすることができる。また、構造的に簡易で製造も容易であり、安価に提供することができる。
【考案を実施するための最良の形態】
【００１０】
以下、図１乃至図１５を参照して本考案の第１の実施の形態を説明する。本実施の形態の簡易型木製レイズドベッドは、土を入れるプランター１と、これを地表より立ち上げた位置で保持・固定する手段としてのプランター支持体３と、から構成されている。まず、プランター１はプラスチック製のコンテナが使用される。その構造は、まず、平面略矩形状の容器部５があり、この上部に外周側へ張り出したフランジ部７が形成されている。プランター１全体は薄肉厚であり、高さを可及的に低く形成している。これは、プランター１の下部に車椅子に座った人間が進入できるスペースを確保しつつプランター１上面の高さを車椅子に座った人間が作業できる高さとするためである。
【００１１】
また、容器部５の底部には排水口９を設けてここに排水パイプ１１を接続している。排水パイプ１１は下方に延長配置され、プランター１内の余分な水を排出して、水のやりすぎ等による根腐れ等を防止している。また、プランター１は高さを可及的に低く形成した結果、容器部５が浅底になっているが、ここには園芸用に開発された各種の土（例えば、泥炭腐植土）を使用することにより、植物を植栽して育成させることができるものである。
【００１２】
また、上記プランター１を地表より立ち上げた位置で保持・固定する手段としてプランター支持体３がある。このものは木製であり、高さの低い水平方向に配置されたプランター収容部１３とその後側に配置された支柱部１５とその下端に水平方向に配置された脚部１７とで構成されている。
【００１３】
プランター収容部１３は上記プランター１を収納する部分であり、プランター１と同一形状の枠部１３Ａを形成するとともにその底面には簀の子状の底板１３Ｂを配置している。上記排水パイプ１１はこの底板１３Ｂの隙間から下方に延長される。
【００１４】
上記枠部１３Ａの上部には外周側へフランジ状に天板部１３Ｃが形成されている。上記天板部１３Ｃは、上面中央部を凹陥させた凹部１３Ｄと、その両側に前側に張り出した手置き部１３Ｅとを設けている。これは、車椅子などがアクセスする時にプランター１部分に体を引き寄せることができるとともに、両側に肘をおいて楽に作業ができるようにするためである。
【００１５】
また、天板部１３Ｃのプランター収納部分の両縁部にはプランターの取り出しを容易にする切欠き１３Ｆが設けられている。また、天板部１３Ｃの両側はフランジ状に張り出した部分を設けており、これを手で持って移動できるようになっている。また、全体が丸みを持った形状であり、安全面に配慮した構成としている。
【００１６】
また、プランター収容部１３の後部寄りの両側に一対の支柱部１５が立設されている。支柱部１５は垂直方向に延長されており、上下に２つの支柱要素１５Ａ、１５Ｂに分割されている。上側の支柱要素１５Ａの上部には前後方向に延長された取付部１５Ｃが設けられ、これを止めねじ１５Ｅでプランター収容部１３に取り付けている。また、上側の支柱要素１５Ａには左右方向に横支持部材１５Ｆが架設されている。
【００１７】
また、上記支柱部１５は、上下支柱要素１５Ａ、１５Ｂを重複して配置し、その間に複数箇所の位置調整固定手段１５Ｇを設けてプランター収容部１３の高さを調節可能としている。
【００１８】
すなわち、図１０，図１１に示すように、一方の支柱要素１５Ｂに孔１５Ｈを形成するとともに、他方の支柱要素１５Ａに上記孔１５Ｈと対応し上下方向に間隔をおいて複数の雌ねじ１５Ｉを形成し、図１１に示すように、上記孔１５Ｈと任意の位置の雌ねじ１５Ｉを合致させて止めねじ１５Ｊで締結することによりプランター収容部１３の高さを調節するものである。
【００１９】
尚、位置調整固定手段１５Ｇの構成は、上記の構成に代え、支柱要素１５Ａに孔１５Ｈを形成し、支柱要素１５Ｂに複数の雌ねじ１５Ｉを形成しても良いし、図１２に示すように、上記雌ねじ１５Ｉに代えて複数の孔１５Ｋを形成し、ピン１５Ｌで締結しての配置をプランター収容部１３の高さを調節するものとしても良い。また、下側の支柱要素１５Ｂの下部には左右方向に横支持部材１５Ｍが架設されている。
【００２０】
また、脚部１７は、一対の支柱部１５の下端に前後方向に支脚１７Ａが延長配置されたものであり、プランター収容部１３を安定して保持するようになっている
【００２１】
上記プランター支持体３は、位置調整固定手段１５Ｇにより脚部１７からプランター収容部１３までの高さを最大７５０ｍｍ、最小５７０ｍｍの範囲で調整でき、これに伴ってプランター収容部１３の下面から脚部１７の下部までの高さも最大６００ｍｍ、最小４２０ｍｍの範囲で調整できるようになっている。高さを最大とした場合には、プランター収容部１３の下面から脚部１７の下部までの高さが概ね６００ｍｍであり、これに高さの低いプランター１を嵌合して保持した場合、その上面までの高さは概ね７５０ｍｍである。これは、従来の標準タイプの車椅子の場合は脚部１７の床面からプランター収容部１３の下面までの高さ（以下、下面のクリアランスという。）が約６００ｍｍ必要であるからである。現在主流となっている子供、老人等の小柄な人が使用している低床タイプの車椅子の場合には、下面のクリアランスを小さくし、プランター１の上面までの高さを使用し易い高さに調整して使用するようにしたものである。また、プランター支持体３の両側は前側に支脚等がなく開放されている。
【００２２】
以上の構成を基にその作用を説明する。上記簡易型木製レイズドベッドを使用する場合には、まず、プランター収容部１３の枠部１３Ａにプランター１をはめ込むことによりプランター１をプランター支持体３に支持する。そして、プランター１内に泥炭質を含む腐葉土等を入れる。
【００２３】
そして、高齢者や身体障害者が車椅子に座った状態でアクセスして園芸作業を行う。その際、図１４に示すように、上記プランター支持体３は、高さを最大とした場合には、高さの低いプランターを嵌合して保持した場合、その上面までの高さは概ね７５０ｍｍであり、下面のクリアランスが概ね６００ｍｍに設定されている。したがって、プランター１の下部に車椅子に座った状態で人間が進入できるスペースが確保されているから、プランター１への接近が容易にでき、園芸の作業を容易にできる。また、子供、老人等の小柄な人が使用している低床タイプの車椅子の場合は、下面のクリアランスを小さくし、プランター１の上面までの高さを使用し易い高さに調整して使用することができる。勿論、立ったままで園芸作業することも容易にできる。
【００２４】
また、プランター収容部１３に天板部１３Ｃの上面中央部を凹陥させた凹部１３Ｄと、その両側に前側に張り出した手置き部１３Ｅを設けた場合には、車椅子などがアクセスする時にプランター１部分に体を引き寄せることができるとともに、両側に肘を置くことができ、楽に作業ができる。
【００２５】
また、プランター支持体３はプランター１を片持ち状に保持するようにしてプランター支持体３の両側は前側に支脚等をなくして開放した状態としたから、図１５に示すように、車椅子が進入した位置から、フットレストが邪魔になることなく、横方向へスムーズに回転させることができ、プランター１からの離反も容易にできる。
【００２６】
以上本実施の形態によると次のような効果を奏することができる。先ず、プランター１の下部に車椅子に座った人間が進入できるスペースを確保するとともにプランター１上面の高さを車椅子に座った人間が作業できる高さに設定できる。これは、高さの低いプラスチック製プランターと、木製で高さの低い水平方向に配置されたプランター収容部とその後側に配置された支柱部とその下端に水平方向に配置された脚部とで片持ち状に保持するプランター支持体と組み合わせることにより実現できたものである。これにより、使用者はプランターへの接近が容易にできるとともに、車椅子に座ったままで又はしゃがまなくても立ったままで楽に園芸作業ができる。
【００２７】
また、プランター支持体３はプランター１を片持ち状に保持するようにしたから、フットレストの邪魔になることがなく、車椅子が進入した位置から横方向ヘスムーズに方向転換させることができ、プランター１からの離反が容易にできる。また、高さの低いプラスチック製プランターと木製で簡易な構造のプランター支持体とを組み合わせた構造としたので、移動が容易であり、屋内、屋外，屋上等任意の場所に移動して使用できる。また、軽量であるからベランダや屋上等に設置しても負荷をかけないようにすることができ、設置建築物の床や構造自体に負担を与えない。また、プランターをプランター支持体から取り外し可能であるから、花壇部分を取り外して別の場所で土の入れ換えや園芸作業をすることができる。また、構造的に簡易で製造も容易であり、安価に提供することができる。  
【００２８】
以上は、本考案の１つの実施の形態を紹介したものであり、この実施の形態に限定されず本考案要旨内での設計変更が可能である。例えば、図１６に示すように、脚部１７において、支脚１７Ａの前後にキャスターＣを設けても良い。この場合には、レイズドベッドを持ち上げることなく容易に移動させることができる。その他の構成は上記第１の実施の形態と同様でありその説明は省略するが、上記と同様の作用効果を奏するものである。また、プランター１のプラスチック素材は任意であり、適宜市販のコンテナ等を使用し得るものである。
【図面の簡単な説明】
【００２９】
【図１】本考案の実施の形態を示す図で簡易型木製レイズドベッドの斜視図である。
【図２】本考案の実施の形態を示す図で簡易型木製レイズドベッドの平面図である。
【図３】本考案の実施の形態を示す図で簡易型木製レイズドベッドの正面図である。
【図４】本考案の実施の形態を示す図で簡易型木製レイズドベッドの底面図である。
【図５】本考案の実施の形態を示す図で簡易型木製レイズドベッドの背面図である。
【図６】本考案の実施の形態を示す図で簡易型木製レイズドベッドの右側面図である。
【図７】本考案の実施の形態を示す図で簡易型木製レイズドベッドの左側面図である。
【図８】本考案の実施の形態を示す図でプランターをプランター支持体に取り付け状態を示す正面図である。
【図９】本考案の実施の形態を示す図でプランターをプランター支持部に取り付け状態を示す平面面図である。
【図１０】本考案の実施の形態を示す図で支柱部を伸ばした状態を示す左側面図である。
【図１１】本考案の実施の形態を示す図で支柱部を縮めた状態を示す左側面図である。
【図１２】本考案の実施の形態を示す図で支柱部の位置調整固定手段を示す断面図である。
【図１３】本考案の実施の形態を示す図で支柱部の他の位置調整固定手段を示す断面図である。
【図１４】本考案の実施の形態を示す図で簡易型木製レイズドベッドへのアクセスの状態を示す右側面図である。
【図１５】本考案の実施の形態を示す図で簡易型木製レイズドベッドへのアクセスの状態を示す平面面図である。
【図１６】本考案の他の実施の形態を示す図で簡易型木製レイズドベッドの斜視図である。
【符号の説明】
【００３０】
１      プランター
３      プランター支持体
１３    プランター収容部
１５    支柱部
１７    脚部
１３Ｃ  天板部
１３Ｄ  凹部
１３Ｅ  手置き部
１５Ｇ  位置調整固定手段
【図１】
0003113668.tif 000003
【図２】
0003113668.tif 000004
【図３】
0003113668.tif 000005
【図４】
0003113668.tif 000006
【図５】
0003113668.tif 000007
【図６】
0003113668.tif 000008
【図７】
0003113668.tif 000009
【図８】
0003113668.tif 000010
【図９】
0003113668.tif 000011
【図１０】
0003113668.tif 000012
【図１１】
0003113668.tif 000013
【図１２】
0003113668.tif 000014
【図１３】
0003113668.tif 000015
【図１４】
0003113668.tif 000016
【図１５】
0003113668.tif 000017
【図１６】
0003113668.tif 000018